(57)【要約】【課題】電子機器内部における省スペース化を実現することができる不要な発生音等をも抑止することができる接点装置を提供する。【解決手段】接点装置３０において、摺動面１９ａを有する相対移動部材１９と、導電性を有する素材からなり一端を固定端とし他端を自由端とした片持ち梁状の梁部３１ａと、自由端に設けられ摺動面と摺接する接点凸部３１ｂとを有し、接点凸部が梁部のスパン方向に対して直交する方向に摺動する接片部材３１とを具備した。【選択図】図４
2018132550.tif 000002
【特許請求の範囲】
【請求項１】
接点装置において、
摺動面を有する相対移動部材と、
導電性を有する素材からなり、一端を固定端とし他端を自由端とした片持ち梁状の梁部と、該自由端に設けられ上記摺動面と摺接する接点凸部とを有し、上記接点凸部が上記梁部のスパン方向に対して直交する方向に摺動する接片部材と、
を具備したことを特徴とした接点装置。
【請求項２】
上記片持ち梁状の梁部は、剛性を有する素材からなり、
複数の梁部と、当該複数の梁部の各他端である各自由端同士を連結する連結部と、上記連結部に設けられ上記摺動面と所定の接触圧で摺接する接点凸部とを有し、上記接点凸部と上記摺接面との接触圧方向に直交する面上にて上記自由端の角変位が規制された接片部材と、
を具備したことを特徴とした請求項１記載の接点装置。
【請求項３】
上記複数の梁部は、一対の梁部であることを特徴とした請求項２記載の接点装置。
【請求項４】
上記連結部は、上記摺動面と摺接するための上記接点凸部が一体に形成されていることを特徴とした請求項１〜請求項３のいずれか一つに記載の接点装置。
【請求項５】
上記接点凸部は、上記摺動面上において上記梁部の延伸方向にも摺動可能であることを特徴とした請求項１〜請求項４のいずれか一つに記載の接点装置。
【請求項６】
上記一対の梁部と上記連結部とによって略コの字形状が形成されていることを特徴とした請求項３記載の接点装置。
【請求項７】
上記複数の梁部と上記連結部と上記複数の梁部の各一端である固定部とによって、開口が形成されていることを特徴とした請求項１〜請求項６のいずれか一つに記載の接点装置。
【請求項８】
上記接点装置は、レンズ鏡筒に用いられ、
上記固定端は、レンズ鏡筒内に設けられた固定枠部に固定され、又は回転することを特徴とした請求項１〜請求項７のいずれか一つに記載の接点装置。
【発明の詳細な説明】
【技術分野】
【０００１】
この発明は、摺動面に摺接して相対的に移動する接点を有する梁状の接片部材を備えた接点装置に関するものである。
【背景技術】
【０００２】
従来、例えばデジタルカメラ等の電子機器は、部品同士の間で電気的な接続を確保するための接点装置を備えて構成されているのが一般である。
【０００３】
この種の接点装置において、例えば摺動面に摺接して相対的に移動する接点を有する梁状の接片部材を備えて構成されているものが、例えば特開２０００−１４９６９４号公報等によって開示されている。
【０００４】
上記特開２０００−１４９６９４号公報等によって開示されている接点装置は、電気パターンに摺接する接片部材を有して構成されているものである。
【０００５】
当該接点装置は、回転軸に回動可能に支持される基台上に、梁状の接片部材を有する接片が取り付けられ、この接片に対向する位置に複数の電気パターンを有する電気基板を設けて構成されている。
【０００６】
この場合において、上記梁状の接片部材は、その梁の長さ方向（スパン方向）が上記基台の回動径方向（回動円の接線方向）と略平行に延出するように配置され、電気基板の複数の電気パターンに摺接するように構成されている。
【０００７】
このような構成により、基台が回転軸周りに回転すると、梁状の接片部材は複数の電気パターンの摺動面に摺接した状態で相対的に移動する。
【先行技術文献】
【特許文献】
【０００８】
【特許文献１】特開２０００−１４９６９４号公報
【発明の概要】
【発明が解決しようとする課題】
【０００９】
ところが、上記特開２０００−１４９６９４号公報等によって開示されている従来の接点装置のように、梁状の接片部材のスパン方向に摺動面が相対移動するような構成とする場合、電子機器内部における接点装置の配置の自由度が制限されることから、電子機器の設計の自由度が狭まるという問題点がある。
【００１０】
例えばデジタルカメラ等のように、使用者（ユーザ）が携帯して使用する電子機器においては小型化への要望が常にある。そこで、電子機器の小型化を実現するための工夫として、電子機器内部における接点装置の配置を工夫することが考えられる。
【００１１】
本発明は、上述した点に鑑みてなされたものであって、その目的とするところは、摺動面と摺接して相対的に移動する接点を有する梁状の接片部材を備えた接点装置において、接片部材の梁部の長さ方向（スパン方向）を、摺動面の移動方向に対して直交する方向となるように配置し、電子機器内部における接点装置の省スペース化を実現することができ、設計の自由度を確保することができる接点装置を提供することである。
【課題を解決するための手段】
【００１２】
上記目的を達成するために、本発明の一態様の接点装置は、接点装置において、摺動面を有する相対移動部材と、導電性を有する素材からなり、一端を固定端とし他端を自由端とした片持ち梁状の梁部と、該自由端に設けられ上記摺動面と摺接する接点凸部とを有し、上記接点凸部が上記梁部のスパン方向に対して直交する方向に摺動する接片部材と、を具備した。
【発明の効果】
【００１３】
本発明によれば、摺動面と摺接して相対的に移動する接点を有する梁状の接片部材を備えた接点装置において、接片部材の梁部の長さ方向（スパン方向）を、摺動面の移動方向に対して直交する方向となるように配置し、電子機器内部における接点装置の省スペース化を実現することができ、設計の自由度を確保することができる接点装置を提供することができる。
【図面の簡単な説明】
【００１４】
【図１】本発明の一実施形態の接点装置が適用される電子機器であるレンズ鏡筒を分解して示す要部分解斜視図
【図２】図１のレンズ鏡筒において、光軸を含む面で切断した拡大縦断面図
【図３】図２の符号［３］で示す領域を拡大して示す要部拡大断面図
【図４】図１のレンズ鏡筒において本発明の一実施形態の接点装置が配設されている部分（図１の符号［４］で示す領域）を拡大して示す要部拡大斜視図
【図５】本発明の一実施形態の接点装置における接片部材のみを取り出して示す拡大斜視図
【図６】図５の接片部材を上面側から見た平面図
【図７】図６の符号［７］−［７］線に沿う断面を拡大して示す拡大断面図。
【発明を実施するための形態】
【００１５】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１６】
本発明の一実施形態は、例えば複数の光学レンズによって形成される光学像を固体撮像素子を用いて光電変換し、これによって得られる画像信号を静止画像又は動画像を表わすデジタル画像データに変換し、こうして生成されたデジタルデータを記憶媒体に記録し、また記憶媒体に記録されたデジタル画像データに基いて静止画像又は動画像を表示装置に再生表示し得るように構成されるデジタルカメラ等の撮像装置に適用されるレンズ鏡筒に対して適用される接点装置であって、特にグランド（ＧＮＤ）用の接点装置を例示するものである。
【００１７】
本発明の一実施形態において例示するレンズ鏡筒は、撮像装置本体（不図示）に対してレンズ鏡筒が着脱自在に構成されるいわゆるレンズ交換式カメラに適用されるレンズ鏡筒を例示している。本実施形態の接点装置は、この形態のレンズ鏡筒に限られることはなく、例えば撮像装置本体とレンズ鏡筒とが一体に構成されたいわゆるレンズ一体型カメラにおけるレンズ鏡筒に対しても同様に適用することができる。
【００１８】
［一実施形態］
まず、本発明の一実施形態の接点装置の詳細を説明する前に、当該接点装置が適用される電子機器としてのレンズ鏡筒の構成を、図１〜図３を用いて以下に簡単に説明する。
【００１９】
なお、以下の説明において、レンズ鏡筒における撮像光学系（不図示）の光軸を符号Ｏで表すものとする。このレンズ鏡筒の光軸Ｏに沿う方向において、被写体に対向する面を前面というものとし、マウント部のある面を後面というものとする。
【００２０】
図１〜図３は、本発明の一実施形態の接点装置が適用される電子機器であるレンズ鏡筒を示す図である。このうち、図１は、本発明の一実施形態の接点装置が適用されるレンズ鏡筒を分解して示す要部分解斜視図である。図２は、図１のレンズ鏡筒において、光軸を含む面で切断した拡大縦断面図である。なお、図２においては、図面の煩雑化を避けるために撮像光学系等の一部の構成ユニットを省略して図示している。図３は、図２の符号［３］で示す領域を拡大して示す要部拡大断面図である。
【００２１】
本実施形態の接点装置３０（詳細は後述する）が適用されるレンズ鏡筒１は、図１，図２に示すように、前面装飾リング１１と、フード取付リング１２と、前側外装リング１３と、固定筒１４と、ＭＦクラッチリング１５と、距離表示リング１６と、フォーカスリング１７と、摺動枠１８と、距離環１９と、中枠２０と、後枠２１等によって主に構成されている。
【００２２】
上記前面装飾リング１１と上記フード取付リング１２と上記前側外装リング１３とは、当該レンズ鏡筒１の前面側の外装部材である。このうち、前面装飾リング１１は、フード取付リング１２の前面に対して固設されている。また、フード取付リング１２は、前側外装リング１３を挟んで固定筒１４の前面側に固定されている。そして、前側外装リング１３は、固定筒１４の前面側に固設されている。
【００２３】
固定筒１４は、本レンズ鏡筒１の主要構成ユニットであり、略円筒形状に形成されたフレーム部材である。この固定筒１４の外周面上には、フォーカスリング１７が光軸Ｏ周りに回転自在に配設されている。
【００２４】
また、固定筒１４の外周面上には、当該レンズ鏡筒１のメイングランド（Ｍ．ＧＮＤ）２５が光軸Ｏに沿う方向に延設されている。このメイングランド２５は、導電性部材からなり、不図示のレンズ基板やマウント部の接点等を介して、撮像装置（不図示）側のメイン基板と電気的に接続されて、当該レンズ鏡筒１のグランドとして機能している。
【００２５】
そして、固定筒１４の内部には、図示していないが、撮像光学系を構成する複数の光学レンズと、これら複数の光学レンズのそれぞれを保持する複数のレンズ枠と、これら複数のレンズ枠のうち一部のレンズ枠を駆動する駆動機構と、絞り装置と、レンズ基板等がそれぞれ所定の位置に所定の形態で配設されている。
【００２６】
ＭＦクラッチリング１５は、フォーカスリング１７と一体に連結され、上記固定筒１４の外周に沿って光軸Ｏ周りに回動自在に、かつ光軸Ｏに沿う方向に進退自在に設けられた円環状部材である。この場合において、フォーカスリング１７及びＭＦクラッチリング１５は、光軸Ｏに沿う方向において前面寄りの所定の位置と、後面寄りの所定の位置と、の２つの所定の位置の間を進退自在とされている。
【００２７】
また、フォーカスリング１７及びＭＦクラッチリング１５は、光軸Ｏに沿う方向において前面寄りの所定の位置にあるときには、上記固定筒１４の外周に沿って光軸Ｏ周りに回動自在とされている。一方、フォーカスリング１７及びＭＦクラッチリング１５は、光軸Ｏに沿う方向において後面寄りの所定の位置にあるときには、上記固定筒１４の外周に沿って光軸Ｏ周りに予め決められた規定の回動範囲内でのみ回動自在とされている。
【００２８】
ＭＦクラッチリング１５の内周面には、上記距離表示リング１６の被係止部１６ａに係合することで、当該ＭＦクラッチリング１５と距離表示リング１６とを一体とする係止爪１５ａが形成されている。ここで、上記係止爪１５ａと上記被係止部１６ａとは、フォーカスリング１７の動作をオートフォーカス（ＡＦ）状態とマニュアルフォーカス（ＭＦ）状態とに切り換えるクラッチ機構を構成している。
【００２９】
即ち、例えば、フォーカスリング１７及びＭＦクラッチリング１５が光軸Ｏに沿う方向において前面寄りの所定の位置にあるとき、フォーカスリング１７を光軸Ｏに沿う所定の方向（例えば後面側に向けた方向）に移動させて、ＭＦクラッチリング１５の係止爪１５ａと距離表示リング１６の被係止部１６ａとを係合させた状態としたときには、フォーカスリング１７，ＭＦクラッチリング１５，距離表示リング１６は、一体となって光軸Ｏ周りに予め決められた規定の回動範囲内にて回動自在となるように構成されている。
【００３０】
一方、この状態からフォーカスリング１７を光軸Ｏに沿う所定の方向（例えば前面側に向けた方向）に移動させて、ＭＦクラッチリング１５の係止爪１５ａと距離表示リング１６の被係止部１６ａとの係合状態を解除したときには、フォーカスリング１７及びＭＦクラッチリング１５と距離表示リング１６とは、別体となってフォーカスリング１７及びＭＦクラッチリング１５のみが光軸Ｏ周りに制限無しに回動自在となるように構成されている。なお、上記レンズ鏡筒１におけるＡＦ／ＭＦ切り換えのためのクラッチ機構の詳細構成については、本発明に直接関連しない部分であるので、その説明は省略する。
【００３１】
距離表示リング１６は、フォーカスリング１７及びＭＦクラッチリング１５がＭＦ状態とされたときには、上記クラッチ機構の作用によってフォーカスリング１７及びＭＦクラッチリング１５と一体とされて、光軸Ｏ周りに予め決められた規定の回動範囲内にて回動自在となる円環状部材である。この距離表示リング１６の外面上には、例えば撮影距離に関する指標１６ｂが記載されている。この指標は、当該フォーカスリング１７の回転量の目安若しくは当該レンズ鏡筒１の合焦状態（撮影距離）の目安を使用者（ユーザ）に対して指し示す指標である。具体的には、例えば、距離表示リング１６には、当該レンズ鏡筒１における最短撮影可能距離に対応する数値と、無限遠表示（∞）とが、その規定の回動範囲の両端位置に表示され、その両端位置の間に、小から大への数値が周方向に所定の間隔をもって並べて記載されている。
【００３２】
フォーカスリング１７は、使用者（ユーザ）が合焦操作を行う際に使用する円環形状の操作部材である。
【００３３】
摺動枠１８は、本実施形態の接点装置３０が固設され、当該接点装置３０の接点（後述する）が摺接する距離環１９の摺動面（後述する）に対し相対的に移動する円環形状の固定枠部材である。
【００３４】
距離環１９は、本実施形態の接点装置３０の接点が接触し相対的に摺動する摺動面１９ａを外周面上に備え、上記フォーカスリング１７と一体に光軸Ｏ周りに回動自在に、かつ光軸Ｏに沿う方向に進退移動する円環状部材である。この距離環１９は、上記摺動枠１８の接点装置３０に対して相対的に移動する相対移動部材である。
【００３５】
中枠２０は、距離環１９及び後枠２１の内周と、固定筒１４の外周との間において、上記距離環１９に固設される略円環形状の枠部材である。これにより、中枠２０は、距離環１９と共に光軸Ｏ周りに回転自在となっている。
【００３６】
後枠２１は、当該レンズ鏡筒１の後面側の外面を覆うカバー部材である。この後枠２１の後面側には、図示していないが、レンズ側マウント部等が固設されている。
【００３７】
このように構成されたレンズ鏡筒１において、その他の詳細構成については、従来のレンズ鏡筒１と略同様である。
【００３８】
次に、本発明の一実施形態の接点装置３０の構成を以下に詳述する。図４〜図７は、本発明の一実施形態の接点装置を示す図である。このうち、図４は、図１のレンズ鏡筒において本発明の一実施形態の接点装置が配設されている部分（図１の符号［４］で示す領域）を拡大して示す要部拡大斜視図である。図５は、本発明の一実施形態の接点装置における接片部材のみを取り出して示す拡大斜視図である。図６は、図５の接片部材を上面側から見た平面図である。図７は、図６の符号［７］−［７］線に沿う断面を拡大して示す拡大断面図である。
【００３９】
本実施形態の接点装置３０は、上述したように、また図１〜図３に示すように、上記摺動枠１８に固設されている。
【００４０】
本実施形態の接点装置３０は、図４等に示すように、接片部材３１と、弾性部材であるダンパー３２と、固定ビス３３（図３参照）と、サブグランド（Ｓ．ＧＮＤ）３４（図３参照）等を含んで構成されている。
【００４１】
上記接片部材３１は、弾性を有する導電性の素材、例えば金属製の薄板部材をプレス加工等を施すことによって形成されている。上記接片部材３１は、一端を固定端とし他端を自由端とした片持ち梁状の梁部３１ａと、当該梁部３１ａの自由端に設けられ上記距離環１９の摺動面１９ａと摺接する接点凸部３１ｂと、摺動枠１８に固定される固定部３１ｄと、当該固定部３１ｄの平面に直交するように立ち曲げられた立ち曲げ部３１ｅとを有して形成されている。ここで、上記梁部３１ａは、上記立ち曲げ部３１ｅの縁部に一端（固定部）が設けられ、同所から上記固定部３１ｄの平面と略平行に、かつ同固定部３１ｄの形成されている側とは反対方向に延出するように形成されている。
【００４２】
そして、この立ち曲げ部３１ｅは、上記固定部３１ｄの幅方向の寸法Ｄ（図５の符号参照）と略同寸法の幅を有して形成されている。この場合において、立ち曲げ部３１ｅの高さ方向の寸法Ｈ（図５の符号参照）は、幅Ｄの全域に亘って、梁部３１ａの一端の固定端近傍の高さと同じ高さとなるように形成している。
【００４３】
上記立ち曲げ部３１ｅを、このような形状とすることによって、当該立ち曲げ部３１ｅから延出する梁部３１ａの固定端となる立ち曲げ部３１ｅの剛性を確保するため、特に当該梁部３１ａの長さ方向（スパン方向）に直交する方向（摺動方向）に延びて形成されている。
【００４４】
固定部３１ｄには、三つの貫通孔３１ｆ，３１ｇ，３１ｈが形成されている。このうち、貫通孔３１ｆは、当該固定部３１ｄの略中央部に形成され、上記固定ビス３３を挿通させる貫通孔である。ここで、固定ビス３３は、当該接片部材３１を上記摺動枠１８に固定するための固定用ビスである。この固定ビス３３は、導電性の素材によって形成されている。
【００４５】
また、上記固定部３１ｄにおける他の２つの貫通孔３１ｇ，３１ｈは、当該接片部材３１を上記摺動枠１８に位置決めし、取付固定するために設けられている。これら２つの貫通孔３１ｇ，３１ｈは、上記貫通孔３１ｆを挟んで上記梁部３１ａのスパン方向とは直交する方向の両側に形成されている。
【００４６】
一方の貫通孔３１ｇは、略円形状に形成され、摺動枠１８上に形成される第１固定ピン１８ｇ（図４参照）を挿通させることで、当該固定部３１ｄの位置決めを行う貫通孔である。
【００４７】
他方の貫通孔３１ｈは、摺動枠１８の周方向に長軸を有する略楕円形状に形成され、摺動枠１８上に形成される第２固定ピン１８ｈ（図４参照）を挿通させることで、当該固定部３１ｄの位置決めを行う貫通孔である。
【００４８】
当該接片部材３１は、摺動枠１８に対して２本の固定ピン（１８ｇ，１８ｈ）によって位置決めされると共に、一方の固定ピンを回転中心とする回転が抑止されている。なお、２つの貫通孔（３１ｇ，３１ｈ）のうち一方の貫通孔（３１ｈ）を略楕円形状としているのは、２本の固定ピン及び２つの貫通孔の位置についての工作精度（公差）を吸収するための措置である。
【００４９】
また、本実施形態においては、上記片持ち梁状の梁部３１ａは、図５に示すように、特に、複数（一対）の梁部３１ａａ，３１ａｂと、これら複数（一対）の梁部３１ａａ，３１ａｂのそれぞれの他端である各自由端同士を連結する連結部３１ａｃと、連結部３１ａｃに設けられ距離環１９の摺動面１９ａに対し所定の接触圧で摺接する接点凸部３１ｂとを有して形成される形態を例示している。
【００５０】
この形態の接片部材３１においては、連結部３１ａｃと接点凸部３１ｂとが一体に形成されている。また、上記複数（一対）の梁部３１ａａ，３１ａｂと上記連結部３１ａｃとによって略コの字形状が形成されている。つまり、複数（一対）の梁部３１ａａ，３１ａｂと連結部３１ａｃと複数の梁部３１ａａ，３１ａｂの各一端である固定部とによって、開口３１ｃが形成されている。
【００５１】
このように、本実施形態においては、図５等に示すような形状の梁部３１ａを一例として例示しているが、当該接片部材３１の梁部３１ａの形状については、この形態に限られることはない。
【００５２】
例えば、図５等によって示される上記一実施形態の接片部材３１においては、複数（一対）の梁部３１ａａ，３１ａｂと連結部３１ａｃとによって開口３１ｃが形成される形態としている。これに対し、上記開口３１ｃを設けずに一つの梁部として形成する形態としてもよい。この場合には、梁部の剛性は、さらに高まることになる。
【００５３】
したがって、換言すると、梁部の形態として、複数の梁部と連結部とで形成し開口を設けた形態から、開口のない一つの梁部として形成する形態まで、各様の形態を考えることができる。そして、複数の梁部の各幅寸法Ｗ（図５の符号参照）または一つの梁部の幅寸法を、適用する電子機器に合わせて適宜設定することによって、当該梁部が必要とする弾性力を最適なものとなるように調整することができる。
【００５４】
このような構成により、上記接片部材３１は、梁部３１ａの長さ方向（スパン方向）に対して直交する方向に摺動する摺動面１９ａ上に接点凸部３１ｂが摺接されている構成となっている。なお、上述したように、距離環１９は、フォーカスリング１７と一体に光軸Ｏ周りに回動自在に、かつ光軸Ｏに沿う方向に進退移動する。したがって、上記接片部材３１の接点凸部３１ｂは、距離環１９の摺動面１９ａに摺接した状態で、当該摺動面１９ａ上において梁部３１ａの延伸方向（長さ方向，スパン方向）においても摺動可能である。
【００５５】
このような構成により、本実施形態の接片部材３１は、接点凸部３１ｂと摺動面１９ａとの接触圧方向に直交する面上において自由端の角変位（たわみ角）が規制されている。
【００５６】
ダンパー３２は、上記接片部材３１の固定部３１ｄ上に、例えば接着固定される弾性部材である。このダンパー３２は、接片部材３１の接点凸部３１ｂが摺動面１９ａ上に連続的に摺接した状態で、当該摺動面１９ａが梁部３１ａの長さ方向（スパン方向）に直交する方向に摺動する際に、当該接片部材３１に生じる振動を吸収し、その振動に起因して発生する不要な発生音が生じるのを抑制するために設けられている。特に、静止画も含め動画の撮影中に、この不要な発生音は抑制されるべきである。
【００５７】
サブグランド（Ｓ．ＧＮＤ）３４は、上記接片部材３１とメイングランド２５との間に介在し、両者を電気的に接続する導電部材からなるグランド部材である。
【００５８】
このように構成された本実施形態の接片部材３１は、導電性の固定ビス３３を介してサブグランド（Ｓ．ＧＮＤ）３４と電気的に接続されている。これにより、接片部材３１とメイングランド２５とは、固定ビス３３及びサブグランド（Ｓ．ＧＮＤ）３４を介して電気的に接続されている。
【００５９】
以上の構成により、被操作を受ける回転部材であるフォーカスリングが回動させられると距離環も回動し、距離環の摺動面１９ａ上を切片部材３１の切点凸部３１ｂが相対的に摺動移動しながら、レンズ鏡筒の一部、例えば距離環に外部からの静電気が切片部材３１、固定ビス３３、サブグランド３４、メイングランド２５を介し撮像装置側のメイン基板のグランドに流れる。
【００６０】
このときの回動操作は連続的な移動駆動操作となっているから、僅かながらも接点凸部３１ｂは、切片部材３１の梁部３１ａの弾性（バネ性）に抗して摺動面１９ａの円周方向に引きずられ、また元の位置に復帰し、これを繰り返し振動することになる。
【００６１】
その結果、切片部材３１の固定端の一部をなす立ち曲げ部３１ｂが脆弱であると接点凸部３１ｂは上記円周方向に大きく引きずられ不要な発生音（ノイズ）、即ち振動音を出すことになるが、本願構成において梁部の全幅より大きく固定端を構成しているため固定端の剛性が高まり、上記の振動音に比べ高周波側に寄せられ可聴域を超えてノイズの発生を抑える。
【００６２】
以上説明したように上記一実施形態によれば、梁部３１ａの自由端の接点凸部３１ｂが、距離環１９の摺動面１９ａに接触した状態で、梁部３１ａの長さ方向（スパン方向）に直交する方向に相対的に摺動面１９ａが移動する接点装置３０において、接片部材３１の形状を工夫することによって、接片部材３１から生じる連続的な不要な発生音を抑止することができる。
【００６３】
即ち、梁部３１ａの一端の固定端である立ち曲げ部３１ｅを、固定部３１ｄと略同寸法となるように形成することで剛性を持たせている。即ち、梁部３１ａの全幅Ｓ（図６参照）より広く固定端を設定する。
【００６４】
また、梁部３１ａを、複数（一対）の梁部３１ａａ，３１ａｂのそれぞれの幅寸法の設定によって、当該梁部３１ａが必要とする弾性力、即ち接触圧を調整することができる。
【００６５】
さらに、固定部３１ｄにダンパー３２を接触させて配設することによって、さらなる消音効果を期待できる。
【００６６】
なお、上記一実施形態の接点装置３０においては、ダンパー３２を含めて構成しているが、このダンパー３２は必ずしも必要となる構成要素ではない。上記一実施形態に示す如く、接点装置３０における接片部材３１の形状の工夫のみによって、例えば不要な発生音の抑止効果を充分に得られる場合には、上記ダンパー３２を除いた構成としてもよい。
【００６７】
なお、本実施形態の説明において一対の梁部で切片部材３１を形成させたが、単純に一本の梁としても良い。ただし、固定端の剛性が不足すると、切片凸部が摺動面と相対移動したときに摺動面上で振動を起こし、それが不要な音を発生させる。つまり、梁部の形状に関わらず、梁部の固定端においては、充分な剛性を持たせることが肝要となる。
【００６８】
本発明は上述した一実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【００６９】
本発明は、各種の形態の電子機器、例えばデジタルカメラ，ムービーカメラ，携帯電話，スマートフォン，電子手帳，電子辞書，携帯情報端末，パーソナルコンピュータ，タブレット型端末機器，ゲーム機器，テレビジョン受像器，時計，ＧＰＳ（Global Positioning System）を利用したナビゲーション機器等のほか、望遠鏡，双眼鏡，単眼鏡，顕微鏡等の観察用の電子機器又は内視鏡，顕微鏡のような産業用若しくは医療用の電子機器、さらに監視カメラや車載用カメラ等に対して広く適用することができる。
【符号の説明】
【００７０】
１……レンズ鏡筒，
１１……前面装飾リング，
１２……フード取付リング，
１３……前側外装リング，
１４……固定筒，
１５……クラッチリング，
１５ａ……係止爪，
１６……距離表示リング，
１６ａ……被係止部，
１６ｂ……指標，
１７……フォーカスリング，
１８……摺動枠，
１８ｇ……第１固定ピン，
１８ｈ……第２固定ピン，
１９……距離環，
１９ａ……摺動面，
２０……中枠，
２１……後枠，
２５……メイングランド（Ｍ．ＧＮＤ）
３０……接点装置，
３１……接片部材，
３１ａ……梁部，
３１ａａ，３１ａｂ……梁部，
３１ａｃ……連結部，
３１ｂ……接点凸部，
３１ｃ……開口，
３１ｄ……固定部，
３１ｅ……立ち曲げ部，
３１ｆ，３１ｇ，３１ｈ……貫通孔，
３２……ダンパー，
３３……固定ビス，
【図１】
2018132550.tif 000003
【図２】
2018132550.tif 000004
【図３】
2018132550.tif 000005
【図４】
2018132550.tif 000006
【図５】
2018132550.tif 000007
【図６】
2018132550.tif 000008
【図７】
2018132550.tif 000009